(57)【特許請求の範囲】
【請求項１】
皿背板と、皿本体と、カバーと、支持体とを備え、
皿背板は、遊技機本体の前面枠に固定された軸に回動可能に軸支され、かつ、遊技機の内部側から皿本体に遊技球を導くための球導入口及び遊技球を皿本体から遊技機内に取込むための球取込み口を備え、
カバーは、皿装置の外形意匠を構成するとともに、上部に皿本体を設置するための開口部を備え、
支持体は、皿背板より遊技機本体の前面側に突出するように設けられるか、カバーの前面側の内側に皿背板側に突出するように設けられ、
皿本体がカバーの開口部の内側に位置されるとともに皿本体の下面が支持体の上に載置され、カバーと皿背板とが支持体を介して連結されたことを特徴とする遊技機の皿装置。  
【請求項２】
皿本体は、上縁と側縁とがカバーの開口部に設けられた係合部に係合され、カバーの開口部と皿背板とで挟持されたことを特徴とする請求項１に記載の遊技機の皿装置。
【請求項３】
上記支持体を、マグネシウム合金で形成したことを特徴とする請求項１又は請求項２に記載の遊技機の皿装置。
【発明の詳細な説明】
【０００１】
【発明の属する技術分野】
本発明は、パチンコ機等の遊技機の皿装置の改良に関する。
【０００２】
【従来の技術】
従来のパチンコ機等の遊技機の皿装置として上皿装置の一例を図８，９に示す。
図８に示すように、上皿装置１０は、皿背板１１と、皿本体１２と、皿本体１２の支持部１３ａと下部カバー１３ｂとを備えた支持体１３と、上部カバー１４とで構成される。
上記皿背板１１の左端側の軸挿入穴１５には、図示しない遊技機本体の前面枠に固定された軸が挿入され、当該皿背板１１は、図８の左手前側に回動可能なように軸支されている。尚、上記軸の上方側には、遊技盤の前面側を被うガラス等のパネルが嵌め込まれた図示しないパネル枠が上記皿背板１１と同様に回動可能なように軸支されている。
皿背板１１の前面側には皿本体１２がネジで固定され、皿本体１２の前面側には支持体１３がネジで固定され、また、支持体１３における下部カバー１３ｂの上方には上部カバー１４がネジで固定されている。尚、皿背板１１と皿本体１２は、皿背板１１に形成された孔１６及び皿本体１２における皿背板１１側の面に形成された図示しないネジ穴ボスを介して螺着されるネジで固定されており、皿本体１２と支持体１３は、皿本体１２に形成された穴ボス１７と支持体１３に形成されたネジ穴ボス１８を介して螺着されるネジで固定されており、支持体１３と上部カバー１４は、支持体１３に形成された穴ボス１９と上部カバー１４に形成された図示しないネジ穴ボスを介して螺着されるネジで固定されている。
上皿装置１０の外形意匠を構成するカバー３４は、図９の正面図（前面図）からわかるように、別体の下部カバー１３ｂと上部カバー１４とにより構成されている。
尚、皿背板１１には、遊技機の内部側から皿本体１２にパチンコ球等の遊技球を導くための球導入口１１ａ、及び、遊技のため遊技球を遊技機内に取込むための球取込み口１１ｂが設けられている。
【０００３】
次に、従来のパチンコ機等の遊技機の皿装置として下皿装置の一例を図１０に示す。
図１０に示すように、下皿装置２０は、皿背板２１と、上部カバー２２と、下部カバー２３と、灰皿部２４とで構成される。
尚、上部カバー２２には皿本体部２５の上部皿部を構成する開口部２５ａが形成され、下部カバー２３には皿本体部２５の下部皿部を構成する有底開口部２５ｂが形成されており、これら開口部２５ａ，２５ｂが組み合わされて皿本体部２５が構成される。
上部カバー２２は、下部側が開放の中空部が形成されたもので構成され、また、下部カバー２３は、上部側が開放の中空部２６が形成されたもので構成されている。上記各カバー２２，２３の中空部には、ネジ穴ボス２７が形成されており、下部カバー２３の下面からこれらネジ穴ボス２７を介して各カバー２２，２３がネジで連結固定されて下皿装置２０の外形意匠を構成するカバー３２が構成される。
皿背板２１は、ネジ２８により下部カバー２３に固定されている。また、下部カバー２３の皿背板２１側には、ネジ部２９が形成され、このネジ部２９により皿背板２１を挟んだ状態でカバー３２が遊技機の前枠（開閉枠）３０にナット３１で固定される。
尚、灰皿部２４は下部カバー２３に回動可能に取付けられる。
【０００４】
【発明が解決しようとする課題】
皿装置の場合、成形材料費を削減するために、皿装置のカバーを構成する合成樹脂製等の複数の部品（上部カバー，下部カバー）を中空状に成形して、各部品自体に強度を持たせるとともに、各部品を強固に連結して組み付けることにより皿装置の強度を維持するようにしている。
つまり、上皿装置１０の場合は、板状に成形された皿本体１２、所々に補強桟部を有するような中空状に成形された支持体１３及び上部カバー１４を、緊密に組合せた状態でネジ等で連結することにより、上皿装置１０の強度を維持していたので、皿装置の構造が複雑であり、組立・分解等の作業が大変であるという課題があった。
また、下部カバー１３ｂを備える支持体１３と上部カバー１４と緊密に組合せてカバー３４を構成しているので、カバー３４を変更する場合には、支持部材１３と上部カバー１４の両方を変更しなければならず、コストがかかるといった課題があった。
また、下皿装置２０の場合は、中空状に成形された上部，下部カバー２２，２３を緊密に組合せた状態でネジ等で連結して皿装置の強度を維持していたので、上記上皿装置１０と同様の課題がある。
即ち、従来の遊技機の皿装置は、複数の部品を緊密に組合せて構成しているので、構造が複雑であり、組立・分解等の作業が大変であり、また、複数の部品を緊密に組合せて皿装置のカバーを構成しているので、カバーを変更する場合には、複数の部品を変更しなければならず、コストがかかるといった課題があった。
【０００５】
本発明は、皿装置の構造を簡単にできて、組立・分解等の作業を容易にでき、皿装置のカバーの変更にかかるコストを抑えることができる皿装置を提供するものである。
【０００６】
【課題を解決するための手段】
本発明に係る遊技機の皿装置は、皿背板と、皿本体と、カバーと、支持体とを備え、皿背板は、遊技機本体の前面枠に固定された軸に回動可能に軸支され、かつ、遊技機の内部側から皿本体に遊技球を導くための球導入口及び遊技球を皿本体から遊技機内に取込むための球取込み口を備え、カバーは、皿装置の外形意匠を構成するとともに、上部に皿本体を設置するための開口部を備え、支持体は、皿背板より遊技機本体の前面側に突出するように設けられるか、カバーの前面側の内側に皿背板側に突出するように設けられ、皿本体がカバーの開口部の内側に位置されるとともに皿本体の下面が支持体の上に載置され、カバーと皿背板とが支持体を介して連結されたことを特徴とする。
また、皿本体は、上縁と側縁とがカバーの開口部に設けられた係合部に係合され、カバーの開口部と皿背板とで挟持された。
また、上記支持体を、軽量化が図れ、しかも高強度なマグネシウム合金で形成するようにした。
【０００７】
【発明の実施の形態】
実施の形態１．
以下、本発明の実施の形態１を図１，図２に基づいて説明する。図１は本実施の形態１における上皿装置の分解斜視図、図２は上皿装置の縦断面図である。尚、図８〜図１０の従来例と同一部分は同一符号を付して詳説を省略する。
各図において、１は本発明の上皿装置のカバーであり、これはお面状に形成され、遊技機の上皿装置の外形意匠を構成するものである。２は上記お面状のカバー１を支持するための複数の支持体であり、これは皿背板３より遊技機本体の前面側に突出する如く当該皿背板３と一体成形されている。
【０００８】
上記お面状とは、皿背板３側が開放され、かつ、内側が中空状となっていて、遊技機の上皿装置の外形意匠を構成するように合成樹脂等で薄肉に形成されていることを言う。
【０００９】
上記支持体２は、後述するように、前端２ｔ側が上記カバー１の内側に固定される棒状の支持部２ａと、この支持部２ａの下部に設けられて当該支持部２ａを補強する補強部２ｂとから成る。
【００１０】
尚、上記カバー１の上部には、皿本体４を設置するための開口部１ａが設けられている。
【００１１】
また、皿背板３には、遊技機の内部側から皿本体４にパチンコ球等の遊技球を導くための球導入口３ａ、及び、遊技のため遊技球を遊技機内に取込むための球取込み口３ｂが設けられている。
【００１２】
しかして、カバー１の開口部１ａの内側に皿本体４をセットした状態で支持体２の方向に移動し、そして、支持体２の支持部２ａ上に皿本体４の下面４ｕを載置し、かつ、カバー１の開放端縁１ｂを皿背板３に突き当てた状態で、カバー１の前面側から皿穴５を介してネジ６で当該カバー１を支持体２の支持部２ａの前端２ｔ側に固定する。これにより、上皿装置１００が組立てられる。
【００１３】
つまり、カバー１は、当該カバー１の内側と遊技機本体側間に設けられた複数の支持体２で支持されている。
【００１４】
実施の形態１によれば、遊技機の上皿装置１００の外形意匠を構成する１つのカバー１を支持体２で支持し、皿本体４をセットするだけの構成なので、上皿装置１００の構造が簡単となり、上皿装置１００の組立・分解等の作業が容易となる。
【００１５】
また、カバー１の意匠を変更する時には、１つのカバー１を変更すればよいので、コストを抑えることができる。
【００１６】
また、従来の上皿装置１０では、カバー３４の意匠を変更する時には、支持体１３も変更しなければならず、支持体１３を流用できなかったが、本実施の形態１では、前面意匠を変更したカバー１を、支持体２を流用して支持することができ、支持体２のリサイクル化が図れる。
【００１７】
また、上皿装置１００の強度に関しても、支持体２で支持されているので、強度が保たれる。特に、皿本体４の下面４ｕを支持体２で支えているので、球重量にも耐えることができる。
【００１８】
また、カバー１は、ネジ６で支持体２に固定されているので、通常の使用状態においては、カバー１は支持体２より外れることがなく、通常の使用に十分に耐え得る。
【００１９】
また、皿本体４は、図２に示すように、上縁４ａと側縁４ｂがカバー１の開口部１ａの係合部１ｃに係合され、カバー１の開口部１ａと皿背板３とで挟持された状態にセットされるので、通常の使用状態では容易に外れることがない。
【００２０】
また、図２に示すように、ネジ６の頭を隠すシール７等を貼り付けることにより、見栄えを損なうこともない。
【００２１】
尚、上記支持体２として、下部に補強部２ｂを備えたものを示したが、この補強部２ｂはなくてもよい。即ち、棒状の支持部２ａだけで支持体を構成してもよい。
【００２２】
また、上記では支持体２を一体成形した皿背板３を示したが、別体の支持体２をネジ等で皿背板３に固定してもよい。
【００２３】
実施の形態２．
上記支持体２を備えた皿背板３を用いずに、代わりに、図３に示すような骨格部材４０を用いてもよい。
【００２４】
上記骨格部材４０は、例えば、複数の支柱部４１を横梁部４２で連結し、さらに支柱部４１より前方に延長するように前方梁部４３を設け、この前方梁部４３を平板部４４で連結して成るものである。
【００２５】
この場合、皿背板３がないので、図４に示すように、支柱部４１側に後壁４ｄを有する上部開口の箱状の皿本体４Ａを設置する。従って、球導入口３ａと球取込み口３ｂは皿本体４Ａの後壁４ｄに形成される。
【００２６】
そして、カバー１Ａは、お面状に形成されたカバー本体１Ｂの開放端側の周囲に、上記支柱部４１を隠すための被い部４５を備えたものを用いる。
【００２７】
上記被い部４５は、図４に示すように、前面被い部４６と、この前面被い部４６の周囲より支柱部４１側に延長して当該支柱部４１の上下端面及び左右両端側の支柱部４１の側面を被う上下側面被い部４７と、この上下側面被い部４７の後端側に設けられて上記支柱部４１の裏側に係止するフック部４８とを有する。尚、図３に示すように、上下側面被い部４７の左側上部には、軸挿入穴１５に対応する穴１５ａが形成されている。
【００２８】
更に、カバー１Ａの前面側の内側には、上記骨格部材４０の前方梁部４３及び平板部４４の前端面側を挟持する挟持部４９（図４参照）が形成されている。
【００２９】
また、皿本体４Ａの下面４ｙの形状は、上記骨格部材４０の前方梁部４３と平板部４４の凹凸に合致する形状に形成されている。
【００３０】
本実施の形態２では、上記骨格部材４０により、カバー１Ａの内側と遊技機本体側間に設けられた支持体を構成する。
【００３１】
本実施の形態２の場合、カバー１Ａが上記フック部４８と挟持部４９により支持体としての骨格部材４０に固定されているので、通常の使用状態においては、カバー１Ａは骨格部材４０より外れることがない。
【００３２】
本実施の形態２においても、実施の形態１と同様な効果が得られる。
また、左右に連続する前方梁部４３及び平板部４４を有する骨格部材４０でカバー１の前面側の内側を支持するようにしているので、上からの力が加わるカバー１を十分に支持できるような強度のある構造となる。
【００３３】
尚、上記各実施の形態では、別体の皿本体４，４Ａを用いる場合を示したが、カバーと皿本体とを一体成形したものを用いてもよい。この場合、実施の形態２の皿本体４Ａの内側部分は中子を用いて成形すればよい。
【００３４】
実施の形態３．
上記実施の形態１では、皿背板３側に支持体２を設けるようにしたが、図５に示すように、カバー１の前面側の内側に、皿背板３側に突出するような棒状の支持体２Ａを設け、この支持体２Ａの皿背板３側、即ち、後端２ｕ側を皿背板３にネジ３ｅ等で固定するようにしてもよい。この場合、カバー１と支持体２Ａを一体成形してもよいし、別体の支持体２Ａをネジ等でカバー１の内側に固定しておいてもよい。
【００３５】
尚、実施の形態１，３のカバー１に、皿背板３の裏側に係止する図４のようなフック片４８を有する被い部４５を設けるようにすれば、カバー１が外れにくくなる。
【００３６】
実施の形態４．
また、実施の形態１では、皿本体４の下面４ｕを支持体２で支えるようにしたが、皿本体４の左右両側の上部に外側に水平に張出す板部を設け、この板部を支持体２（あるいは支持部２ａのみ）で支えるようにしてもよい。つまり、皿本体４の左右両側上部を支持体２で支持するようにしてもよい。
【００３７】
実施の形態５．
図４のような挟持部４９の代わりに、カバー１（１Ａ）の前面側の内側に図６に示すような係止部４９Ａを設けておき、図１に示す支持部２ａの前端２ｔ側に上記係止部４９Ａに係止する係止体４９Ｂを形成してもよい。この場合、図４の挟持部４９よりカバー１（１Ａ）が外れにくくなる。
【００３８】
また、図３の骨格部材４０の前方梁部４３及び平板部４４の前端部に上記係止体４９Ｂを形成し、これを係止する係止部４９Ａをカバー１Ａの前面側の内側の左右方向に連続して設けるようにしてもよい。
【００３９】
実施の形態６．
次に、本発明による下皿装置の一例を図７に基づいて説明する。
５０はカバーであり、これは上述したカバーと同様にお面状に形成され、遊技機の下皿装置の外形意匠を構成するものである。５１はカバー５０を支持するための支持体であり、これは皿背板５２より遊技機本体の前面側に突出する如く設けられている。また、皿背板５２には、遊技球発射操作ハンドル５３（遊技球発射操作装置）を支持するための支持体５４（遊技球発射操作装置支持体）も設けられている。この皿背板５２は、遊技機の前枠（開閉枠）３０に固定されている。
尚、上記支持体５１，５４及び皿背板５２が、前枠３０に一体形成されていてもよい。
【００４０】
カバー５０には、皿本体５５も一体成形されている。カバー５０は実施の形態１と同様に、皿背板５２側が開放され、開放端縁５０ａを皿背板５２に突き当てた状態で、カバー５０の前面側から皿穴５６を介してネジ５７等で当該カバー５０を支持体５１の先端５１ｔ側に固定する。これにより、支持体５１でカバー５０の前面側の内側及び皿本体５５の両側上部を支持できる。
尚、孔５４ａを介してカバー５０を貫通させて支持体５４を遊技機本体の前面側に突出させ、この支持体５４に遊技球発射操作ハンドル５３の筒軸部５３Ａを外嵌する。また、ネジ５７の頭はシール５８で隠す。この場合、皿本体５５の背板側後壁５５ａには、皿本体５５に球を導入する球導入口５５ｂ及び導入樋路５５ｃが設けられ、これに対応するように皿背板５２にも孔５２ａが設けられている。また、灰皿部６０は別に成形され、後に取付けられる。
【００４１】
本実施の形態６による下皿装置においても、実施の形態１と同様な効果が得られる。また、一般に、遊技球発射操作ハンドルを持って遊技機を運搬することもあり、遊技球発射操作ハンドルの軸部には強度が要求される。このため、図１０に示す従来のように、遊技球発射操作ハンドルを装着部６５に装着するような構造では、遊技球発射操作ハンドルの軸部を頑丈に構成しなければならずコストがかかったが、本実施の形態６では、遊技球発射操作ハンドル５３の軸部を、筒軸状の支持体５４に外嵌又は内嵌、即ち、嵌合させる筒軸部５３Ａに形成すればよいので、遊技球発射操作ハンドル５３の軸部のコストを抑えることができる。
尚、本実施の形態６の場合、カバー５０の下側も開放としてもよい。
【００４２】
実施の形態７．
上記各支持材、骨格部材は、合成樹脂等で形成してもよいが、マグネシウム合金で形成することにより、薄くできて、軽量化が図れ、しかも高強度な各支持材、骨格部材となるので、材料費を削減でき、リサイクルに適したものとなる。
【００４３】
特に、遊技球発射操作ハンドル５３の筒軸部５３Ａを、遊技機本体側から前面に突出して上記皿装置カバーを貫通する如く設けられた支持体５４に嵌合する場合において、図７に示すように、支持体５４をマグネシウム合金で中空のパイプ状に形成することにより、軽量でコストも安い支持体５４により、遊技球発射操作ハンドル５３の筒軸部５３Ａの強度を保てるようになる。
【００４４】
尚、図１の支持体２，２…間を、図３の平板部４４のような連結部で連結してもよい。また、図３の骨格部材４０においては、平板部４４がなくてもよいし、また、前方梁部４３の下方に、図１の補強部２ｂのような補強リブを設けてもよい。
【００４５】
【発明の効果】
本発明に係る遊技機の皿装置によれば、皿装置の構造を簡単にできて、組立・分解等の作業を容易にでき、皿装置のカバーの変更に際しては１つのカバーのみを変更すればよくなるので、皿装置のカバーの変更にかかるコストを抑えることができる。また、皿装置の構造を簡単にできて、組立・分解等の作業を容易にでき、また、皿装置のカバーの変更に際しては１つのカバーのみを変更すればよく、支持体も流用できるようになるので、皿装置のカバーの変更にかかるコストを抑えることができる。また、球重量に十分に耐え得る皿装置が得られる。
また、上記支持体を、軽量化が図れ、しかも高強度なマグネシウム合金で形成するようにしたので、各支持体のコストを抑えることができる。
【図面の簡単な説明】
【図１】  本発明の実施の形態１による上皿装置を示す分解斜視図である。
【図２】  実施の形態１による上皿装置の縦断面図である。
【図３】  実施の形態２による上皿装置を示す分解斜視図である。
【図４】  実施の形態２による上皿装置の縦断面図である。
【図５】  実施の形態３による上皿装置の縦断面図である。
【図６】  実施の形態５を説明するための説明図である。
【図７】  実施の形態６による下皿装置を示す分解斜視図である。
【図８】  従来の上皿装置を示す分解斜視図である。
【図９】  従来の上皿装置の正面図である。
【図１０】  従来の下皿装置を示す分解斜視図である。
【符号の説明】
１，１Ａ，５０  皿装置のカバー、２，２Ａ，５１  支持体、４，４Ａ，５５皿本体、４０  骨格部材、４１  支柱部、４２  横梁部、４３  前方梁部、４４  平板部、５３  遊技球発射操作ハンドル、５３Ａ  筒軸部、５４  遊技球発射操作ハンドルの支持体。
【図１】
0004647152.tif 000002
【図２】
0004647152.tif 000003
【図３】
0004647152.tif 000004
【図４】
0004647152.tif 000005
【図５】
0004647152.tif 000006
【図６】
0004647152.tif 000007
【図７】
0004647152.tif 000008
【図８】
0004647152.tif 000009
【図９】
0004647152.tif 000010
【図１０】
0004647152.tif 000011